(57)【要約】【課題】  外部表示装置に接続することなく、または、外部表示装置を回路に加えることなく、簡単で使い勝手よく操作し利用することが可能なマルチメディア装置を提供する。【解決手段】  外部表示装置に接続する手段を有する、マルチメディアデータの再生および／または表示に適したマルチメディア装置１であって、マルチメディア装置１は、少なくとも１つの組合わされた入力および表示手段を有し、少なくとも１つの組合わされた入力および表示手段は、グラフィック操作面の表示のため、および／またはマルチメディアデータの再生のために設けられるマルチメディア装置。【選択図】      図１
2006228416.tif 000002
【特許請求の範囲】
【請求項１】
外部表示装置に接続する手段を有する、マルチメディアデータの再生および／または表示に適したマルチメディア装置（１）において、マルチメディア装置（１）は、少なくとも１つの組合わされた入力および表示手段を有し、前記少なくとも１つの組合わされた入力および表示手段は、マルチメディア装置（１）のグラフィック操作面の表示のため、および／またはマルチメディアデータの再生のために設けられることを特徴とする、マルチメディア装置（１）。
【請求項２】
少なくとも１つの組合わされた入力および表示手段は、少なくとも、実質的に水平な軸回りに角変位可能にマルチメディア装置（１）に設けられることを特徴とする、請求項１に記載のマルチメディア装置（１）。
【請求項３】
少なくとも１つの組合わされた入力および表示手段は、少なくとも、実質的に垂直な軸回りに角変位可能に、マルチメディア装置（１）に設けられることを特徴とする、請求項１または２に記載のマルチメディア装置（１）。
【請求項４】
少なくとも１つの組合わされた入力および表示手段は、マルチメディア装置（１）に脱着可能に設けられることを特徴とする、請求項１〜３のいずれか１項に記載のマルチメディア装置（１）。
【請求項５】
少なくとも１つの組合わされた入力および表示手段はハウジング（１２）を有することを特徴とする、請求項１〜４のいずれか１項に記載のマルチメディア装置（１）。
【請求項６】
マルチメディア装置（１）は、ハウジング（１２）を脱着可能にマルチメディア装置（１）に設けることに適合するストッパ手段を有することを特徴とする、請求項５に記載のマルチメディア装置（１）。
【請求項７】
ハウジング（１２）は、複数の把持要素（１３）を有することを特徴とする、請求項５または６に記載のマルチメディア装置（１）。
【請求項８】
把持要素（１３）は、ストッパ手段の解除に適するように形成されることを特徴とする、請求項７に記載のマルチメディア装置（１）。
【請求項９】
マルチメディア装置（１）は少なくとも１つの組合わされた入力および表示手段とのワイヤレス通信のための手段を有することを特徴とする、請求項１〜８のいずれか１項に記載のマルチメディア装置（１）。
【請求項１０】
少なくとも１つの組合わされた入力および表示手段は、第１の送受信手段を有し、マルチメディア装置（１）は、第２の送受信手段を有し、前記第１と第２の送受信手段は、少なくとも１つの組合わされた入力および表示手段とマルチメディア装置（１）とをワイヤレス接続するために設けられることを特徴とする、請求項１〜９のいずれか１項に記載のマルチメディア装置（１）。
【請求項１１】
ワイヤレス接続は、無線接続であることを特徴とする、請求項１０に記載のマルチメディア装置。
【請求項１２】
ワイヤレス接続は、ＩＥＥＥ８０２．１１伝送規格に従った無線接続であることを特徴とする、請求項１０に記載のマルチメディア装置。
【請求項１３】
組合わされた入力および表示手段は、少なくとも１つのタッチセンサ式入力および表示手段（３，３’）を有することを特徴とする、請求項１〜１２のいずれか１項に記載のマルチメディア装置（１）。
【請求項１４】
タッチセンサ式入力および表示手段(３，３’）は、指および／またはバーによる操作のために設けられることを特徴とする、請求項１３に記載のマルチメディア装置（１）。
【請求項１５】
タッチセンサ式入力および表示手段（３，３’）は、少なくとも１つのタッチセンサ式ディスプレイを有することを特徴とする、請求項１３または１４に記載のマルチメディア装置（１）。
【発明の詳細な説明】
【技術分野】
【０００１】
本発明は、マルチメディアデータの再生および／または記録に適した、外部ディスプレイ装置への接続のための手段を含む、マルチメディア装置に関する。
【背景技術】
【０００２】
かかるマルチメディア装置は、技術水準から、いくつかの異なる実施の形態においてすでに知られている。
【０００３】
公知であるこれらのマルチメディア装置には、それらの操作がかなり複雑であって、使い勝手が悪いという短所がある。さらにまた、これら公知のマルチメディア装置は、テレビ、モニタなどの外部ディスプレイ装置に常に接続することが必要であって、それによって、たとえば、マルチメディア装置のグラフィック操作面の表示が可能となったり、またはマルチメディアデータ、特にビデオデータの再生が可能となる。
【発明の開示】
【発明が解決しようとする課題】
【０００４】
本発明について述べる。
本発明の課題は、外部表示装置に接続することなく、または、外部表示装置を回路に加えることなく、簡単で使い勝手よく操作し利用することが可能なマルチメディア装置を提供することである。
【課題を解決するための手段】
【０００５】
この課題は、請求項１の特徴を有する冒頭において述べたタイプのマルチメディア装置によって解決される。下位の請求項は、本発明の好ましい実施の形態に関する。
【０００６】
本発明は、外部表示装置に接続する手段を有する、マルチメディアデータの再生および／または表示に適したマルチメディア装置において、マルチメディア装置は、少なくとも１つの組合わされた入力および表示手段を有し、前記少なくとも１つの組合わされた入力および表示手段は、マルチメディア装置のグラフィック操作面の表示のため、および／またはマルチメディアデータの再生のために設けられることを特徴とする、マルチメディア装置である。
【０００７】
本発明において、少なくとも１つの組合わされた入力および表示手段は、少なくとも、実質的に水平な軸回りに角変位可能にマルチメディア装置に設けられることを特徴とする。
【０００８】
本発明において、少なくとも１つの組合わされた入力および表示手段は、少なくとも、実質的に垂直な軸回りに角変位可能に、マルチメディア装置に設けられることを特徴とする。
【０００９】
本発明において、少なくとも１つの組合わされた入力および表示手段は、マルチメディア装置に脱着可能に設けられることを特徴とする。
【００１０】
本発明において、少なくとも１つの組合わされた入力および表示手段はハウジングを有することを特徴とする。
【００１１】
本発明において、マルチメディア装置は、ハウジングを脱着可能にマルチメディア装置に設けることに適合するストッパ手段を有することを特徴とする。
【００１２】
本発明において、ハウジングは、複数の把持要素を有することを特徴とする。
本発明において、把持要素は、ストッパ手段の解除に適するように形成されることを特徴とする。
【００１３】
本発明において、マルチメディア装置は少なくとも１つの組合わされた入力および表示手段とのワイヤレス通信のための手段を有することを特徴とする。
【００１４】
本発明において、少なくとも１つの組合わされた入力および表示手段は、第１の送受信手段を有し、マルチメディア装置は、第２の送受信手段を有し、前記第１と第２の送受信手段は、少なくとも１つの組合わされた入力および表示手段とマルチメディア装置とをワイヤレス接続するために設けられることを特徴とする。
【００１５】
本発明において、ワイヤレス接続は、無線接続であることを特徴とする。
本発明において、ワイヤレス接続は、ＩＥＥＥ８０２．１１伝送規格に従った無線接続であることを特徴とする。
【００１６】
本発明において、組合わされた入力および表示手段は、少なくとも１つのタッチセンサ式入力および表示手段を有することを特徴とする。
【００１７】
本発明において、タッチセンサ式入力および表示手段は、指および／またはバーによる操作のために設けられることを特徴とする。
【００１８】
本発明において、タッチセンサ式入力および表示手段は、少なくとも１つのタッチセンサ式ディスプレイを有することを特徴とする。
【発明の効果】
【００１９】
本発明に従えば、マルチメディア装置は少なくとも１つの組合わされた入力および表示手段を有し、該入力および表示手段は、グラフィック操作面の表示のために、および／またはマルチメディアデータの再生のために設けられる。本発明に従った解決手段は、たとえばテレビ、モニタなどの外部表示装置をマルチメディア装置に接続すること、またはその回路に入れることを要しないという利点を有し、したがって、マルチメディア装置のグラフィック操作面が表示されて利用可能であり、場合によっては、全種のマルチメディアデータ、特にビデオデータの再生が可能である。少なくとも１つの組合わされた入力および表示手段は、マルチメディア装置の簡単で使い勝手の良い操作性を可能とする。グラフィック操作面を利用することによって特に、マルチメディア装置が利用できる多くの機能を直接的に操作し制御することを可能とする。少なくとも１つの組合わされた入力および表示手段は、たとえばマルチメディア装置に、特に、マルチメディア装置のハウジングの前面に、固定して設けることが可能である。
【００２０】
好ましい実施の形態において、少なくとも１つの組合わされた入力および表示手段は、少なくとも１つの実質的に水平な軸回りに角変位可能にマルチメディア装置に設けられる。したがって、マルチメディア装置の使用者は、必要があるときには、少なくとも１つの組合わされた入力および表示手段をより使い勝手よくするために、これを角変位させることが可能である。該少なくとも１つの組合わされた入力および表示手段を角変位することが可能であることは、さらにまた、たとえば組合わされた入力および表示手段に直接入射する光を介して生じ得る、好ましくない光についての関係がある場合、組合わされた入力および表示手段の観察角を、少なくとも実質的に水平な軸に関して変更することが可能であり、それによって、ユーザの個々の必要性に合わせることができるという利点を有する。
【００２１】
好ましい実施の形態において、少なくとも１つの組合わされた入力および表示手段は、少なくとも実質的に垂直な軸回りに角変位可能に、マルチメディア装置に設けられている。このような構成によって、ユーザが組合わされた入力および表示手段を見る観察角を、実質的に垂直な回転軸に関して、ユーザの要求に適合させることができる。こうすることによって、上述のように、観察角を個々に調整することができ、照射状態に合わせることができるので、特に好ましくない光の関係があるときには利点がある。
【００２２】
特に好ましい実施の形態に従えば、少なくとも１つの組合わされた入力および表示手段はマルチメディア装置に着脱可能に設けられる。この実施の形態は、特に自由度を付与するものであって、組合わされた入力および表示手段がマルチメディア装置に設けられていても、マルチメディア装置から脱着されていても、ユーザは組合わされた入力および表示手段を利用することができる。
【００２３】
請求項５に従えば、少なくとも１つの組合わされた入力および表示手段は、ハウジングを有する。該ハウジングは、マルチメディア装置に脱着可能に設けられるとき、特に少なくとも１つの組合わされた入力および表示手段の取扱いを容易にする。
【００２４】
特に好ましい実施の形態において、マルチメディア装置はストッパ手段を有し、ハウジングをマルチメディア装置に脱着可能に設けることに適している。ストッパ手段によって、特に、少なくとも１つの組合わされた入力および表示手段のハウジングはマルチメディア装置に確実に設けることができる。
【００２５】
少なくとも１つの組合わされた入力および表示手段の取扱い易さを向上させるために、ハウジングは複数の把持要素を有することが可能である。
【００２６】
特に好ましい実施の形態において、把持要素は、ストッパ手段の解除に適するように構成される。たとえば、把持要素は、把持要素を押圧することによってストッパ手段を解除することができ、かつ、たとえばマルチメディア装置の前面に設けることが可能な対応するハウジング受容体から、ハウジングを脱着可能とするように構成される。これによって、たとえば、別個の解除機構を省くことが可能である。
【００２７】
特に好ましい実施の形態において、マルチメディア装置は、少なくとも１つの組合わされた入力および表示手段とのワイヤレス通信のための手段を有する。この方法で、少なくとも１つの組合わされた入力および表示手段を駆動することが可能であり、これによって、組合わされた入力および表示手段の取扱い易さと操作性を良好に形成することが可能となる。かかる組合わされた入力および表示手段は、本実施の形態においてはグラフィック操作面を用いて、とりわけマルチメディア装置の遠隔操作を可能とする。さらにまた、いずれのタイプのマルチメディア装置も、たとえばビデオデータを組合わされた入力および表示手段にコードレスで送信することが可能であり、組合わされた入力および表示手段を用いて再生することが可能である。
【００２８】
マルチメディア装置に脱着可能に設けられる、組合わされた入力および表示手段は、好ましくは、組合わされた入力および表示手段の駆動に必須である中央演算処理が、マルチメディア装置の処理手段によって自由に行われるように、マルチメディア装置に連結される。好ましくは、動作中は、単に組合わされた入力および表示手段上に表示されるべき表示内容は、マルチメディア装置から組合わされた入力および表示手段に送信される。それに対して、ユーザが行った入力は、組合わされた入力および表示手段からマルチメディア装置に送信される。したがって、組合わされた入力および表示手段が、どうしても高性能の処理手段を必要とするわけではない。組合わされた入力および表示手段のメモリについての必要な記憶容量も、比較的小さい。したがって、かかる組合わされた入力および表示手段は比較的好ましいコストで製造することが可能である。マルチメディア装置の処理手段を省略し、および／または組合わされた入力および表示手段の動作速度を上昇させるために、組合わされた入力および表示手段は、基本的に高性能の処理手段を有することもできる。
【００２９】
特に好ましい実施の形態において、少なくとも１つの組合わされた入力および表示手段は、第１の送信および受信手段を有し、マルチメディア装置は第２の送信および受信手段を有し、この第１および第２の送信および受信手段は、マルチメディア装置を少なくとも１つの組合わされた入力および表示手段とワイヤレス接続するために設けられる。適切なデータ伝送プロトコルを介して、マルチメディア装置と組合わされた入力および表示手段とは連続して互いに通信することが可能であり、したがって、組合わされた入力および表示手段を用いて、マルチメディア装置の操作を簡単に使い勝手よく行うことが可能となり、マルチメディアデータ、特に、ビデオデータを、マルチメディア装置から組合わされた入力および表示手段に伝送し、組合わされた入力および表示手段から再生することが可能となる。
【００３０】
好ましくは、このワイヤレス接続は、無線接続であり、特にＩＥＥＥ８０２．１１伝送規格に従った無線接続である。このようにして、マルチメディア装置と組合わされた入力および表示手段との間にいわゆるＷＬＡＮ接続（ワイヤレスローカルエリアネットワーク）が確立される。データ伝送プロトコルとしては、たとえば、いわゆる”リモートデスクトッププロトコル”が利用される。ＷＬＡＮ接続は、マルチメディア装置から遠く距離をおいたところでの少なくとも１つの組合わされた入力および表示手段を動作させることを可能にする。たとえば、組合わされた入力および表示手段とマルチメディア装置とを、１つの建物の異なった部屋において同時に動作させることが可能である。さらにまた、ＩＥＥＥ８０２．１１伝送基準に従った無線接続は、充分な帯域を使用することができ、したがって、膨大なマルチメディアデータを問題なくマルチメディア装置から組合わされた入力および表示手段に伝送することができる。
【００３１】
特に好ましい実施の形態において、組合わされた入力および表示手段は少なくとも１つのタッチセンサ式の入力および表示手段を有している。かかる少なくとも１つのタッチセンサ式組合わされた入力および表示手段は、簡単で使い勝手のよい操作のマルチメディア装置を可能とする。
【００３２】
指および／またはタッチペンで操作するためのタッチセンサ式入力および表示手段が設けられてもよい。
【００３３】
好ましくは、タッチセンサ式入力および表示手段は少なくとも１つのタッチセンサ式ディスプレイを有する。タッチセンサ式ディスプレイは比較的コスト的に安価に作製することができる。
【発明を実施するための最良の形態】
【００３４】
以下において、添付の図を参照し、マルチメディア装置の２つの実施の形態について述べる。
【００３５】
まず図１を参照すると、図１には、マルチメディア装置１の第１の実施の形態が示されている。マルチメディア装置１は、本実施の形態において、特に、メインディスクと、中央処理手段と、グラフィック処理手段と、記憶手段と、少なくとも１つのハードディスクドライブと、光学ディスクドライブ２とを有し、これらはマルチメディア装置１のハウジングの中に設けられている。光学ディスクドライブ２は、好ましくはＤＶＤドライブとしてもよく、いかなるタイプのＤＶＤ媒体、ＣＤ媒体も読出し可能であって、また書込みも可能である。光学ディスクドライブ２は、電力消費とマルチメディア装置の駆動ノイズを低下させるために、わずかの電力でコンパクトな構造で利用することができる。光学ディスクドライブ２はより高い性能およびより大きな構成で利用するように構成することも可能である。光学ディスクドライブ２は、光学ディスクの利用されている全フォーマットの読出し、書込みが可能である。この場合、いわゆる両面媒体、２層媒体、ブルレイディスク媒体が、光学ディスクドライブ２を用いて、読出しおよび書込みが可能なように構成することが可能である。
【００３６】
好ましくは、マルチメディア装置１については、稼動中の電力消費と騒音の発生を低下させるために、特に電力を消費する据置タイプコンピュータまたはポータブル型コンピュータのために開発されたシステムコンポーネントが利用される。マルチメディア装置１は、システムコンポーネントを適切に選択する場合には、強制換気装置を設けない実施形態とすることも可能であり、自然冷却とすることが可能である。
【００３７】
マルチメディア装置１は、少なくとも１つの組合わされた入力および表示手段を有し、前記少なくとも１つの組合わされた入力および表示手段は、本実施の形態においては、タッチセンサ式入力および表示手段３であって、これは、ここでは明確に示されていないが、タッチセンサ式入力および表示手段３の表面の損傷を防止するために合成樹脂の先端を有するバー、および／またはユーザの指によって、操作することができる。タッチセンサ式入力および表示手段３は、第１の実施の形態において示されているように、マルチメディア装置１のハウジングの正面に固定して設けることが可能である。タッチセンサ式入力および表示手段３は、角変位可能に、特に、実質的に水平な軸回りに上方に角変位可能に、マルチメディア装置１の正面に設けてもよい。また、タッチセンサ式入力および表示手段３は、マルチメディア装置１に、実質的に垂直な軸回りに角変位可能に設けてもよい。以下において説明する、図２に示す他の実施の形態においては、タッチセンサ式入力および表示手段３は、マルチメディア装置１に脱着可能に設けることも可能である。タッチセンサ式入力および表示手段３に、全種のマルチメディアデータ、特に、テキスト、グラフィック、イメージ、電子番組情報、およびビデオデータなどを表示することが可能であり、ならびに、マルチメディア装置１のグラフィック操作面も表示することができる。
【００３８】
特に、タッチセンサディスプレイとして形成されるタッチセンサ式入力および表示手段３は、たとえば、３２０ｘ２４０，６４０ｘ４８０，８００ｘ６００，または１０２４ｘ７６８画素のグラフィック解像度を有することができる。マルチメディア装置１の所望のハウジング高さに応じて、タッチセンサ式入力および表示手段３の大きさ、および／またはグラフィック解像度を適切なものとすることが可能である。タッチセンサ式入力および表示手段３は、たとえば、ＣＳＴＮ（カラースーパーツイステッドネマティック）、ＴＦＴ−ＬＣＤ、アモルファスシリコンＴＦＴ−ＬＣＤ、低温ポリシリコンＴＦＴ−ＬＣＤ、ＢＥＭ、またはＯＬＥＤ（有機発光ダイオード）技術を使うことができる。
【００３９】
マルチメディア装置１の動作中、たとえば、グラフィック操作面は、タッチセンサ式入力および表示手段３上に表示することが可能であり、テレビ、モニタなどの外部表示装置を接続することも、または、外部表示装置を回路に加えることも必要がない。バーおよび／または指を用いて、ユーザはタッチセンサ式入力および表示手段３上に入力操作を行い、かかる入力は、適切なソフトウェアによって処理される。たとえば、このような方法で、マルチメディア装置１によって記録されるべき、ラジオまたはテレビの放送番組のための録音録画時間が入力される。
【００４０】
タッチセンサ式入力および表示手段３上に、操作面、グラフィック情報、テキスト情報および／または全種のマルチメディアデータを表示することができ、これらは、同時に、たとえば、回路内のテレビ、モニタなどの能動型外部表示装置に表示することが可能である。さらにまた、タッチセンサ式入力および表示手段３には、グラフィック情報、テキスト情報および／またはマルチメディアデータが表示または再生され、同時に、回路内のテレビ、モニタなどに表示される。タッチセンサ式入力および表示手段に、グラフィック操作面、電子番組情報、最新のニュースなどが表示されている間に、同時に、たとえば、テレビにマルチメディアデータ（たとえばビデオデータ）を表示することができる。ここでもう一度強調するが、外部表示装置を接続することも、回路に加えることも必要なく、操作面、マルチメディアデータなどを、タッチセンサ式入力および表示手段３に、表示または再生することができる。
【００４１】
タッチセンサ式入力および表示手段３は、マルチメディア装置１を、強制的に外部表示装置に接続することも、または、それを回路に加えることも必要とせずに、特に、マルチメディア装置１の使い勝手のよい制御および／またはプログラミングを可能とする。タッチセンサ式入力および表示手段３は、したがって、第２の表示装置として、マルチメディア装置１のソフトウエアの第２の表示装置と呼ばれ、たとえば、グラフィック操作面を表示する。タッチセンサ式入力および表示手段３は、したがって、グラフィック情報を表示するだけでなく、指またはバー入力によって、マルチメディア装置１の制御および／またはプログラミングに対して使い勝手をよくするという可能性を提供する。
【００４２】
タッチセンサ式入力および表示手段３のできる限り正確で使い勝手のよい操作のために、好ましくは、ここにおいて説明はされていないが、バーを利用することができる。バーは、使用しないときには、タッチセンサ式入力および表示手段３のそばに設けられるバー収納部４に収納することができる。
【００４３】
さらにまた、マルチメディア装置１は、本実施の形態においては、タッチセンサ式入力および表示手段３と並んで、４つのプログラム可能なキー要素８を有し、各キー要素は、上下に設けられている。４以上のプログラム可能なキー要素８を設けてもよく、この場合、プログラム可能なキー要素８の数は、特に、タッチセンサ式入力および出力手段の大きさに依存する。好ましくは、各プログラム可能なキー要素８の機能は、直接タッチセンサ式入力および表示手段３に表示される。プログラム可能なキー要素８の各機能は、あらかじめ、製造業者によってプログラムすることも可能であり、マルチメディア装置１のユーザの必要に応じて調整または変更されてもよい。
【００４４】
マルチメディア装置１のハウジングの正面にさらに、もっと多くのクイック操作キー５が設けられ、これらは、ユーザによって最も頻繁に利用されるマルチメディア装置１のプレイバック機能および／または記録機能の制御のために設けられる。たとえば、クイック操作キー５を用いて、マルチメディアデータの記録または再生を開始し、中断し、停止するメニューを呼び出すことができる。ラジオまたはテレビの操作において、たとえば、押圧によって、異なる送信者間において切換を行ったり、またはラジオまたはテレビ放送番組のハードディスクまたは光学ディスクドライブ２にある光学ディスクへの記録が、開始、中断、停止される。
【００４５】
マルチメディア装置１のハウジングの正面に、本実施の形態においては、さらなる機能キー６があり、少なくとも部分的に、事前にプログラムすること、またはユーザによって自由にプラグラムすることが可能であり、複数のナビゲーションキー７が設けられ、これらによって、ユーザが直接異なるメニュー機能の制御および選択をすることを可能にされる。
【００４６】
本実施の形態においては、マルチメディア装置１のハウジングの正面に設けられ、前方に角変位可能であるカバーリングフラップの後部には、たとえば、少なくとも１つのＰＣＭＣＩＡ差込口、ＣＡＭモジュール差込口、流通しているすべてのメモリカードフォーマット用のメモリカード読取りおよび書込み装置、少なくとも１つのＵＳＢ接続部、デジタルでも実施可能なオーディオおよびビデオ入力端子、市販のヘッドフォンを接続することが可能であるヘッドフォン出力端子が設けられている。さらにまた、カバーリングフラップ１０の後部には、少なくとも１つのＩＥＥＥ１３９４規格に従ったＦｉｒｅ−Ｗｉｒｅ接続部が設けられ、これに、たとえばデジタルビデオカメラを接続することができる。さらにまた、マルチメディア装置１には、かかるところおよびその他のところに、市販されたコンピュータキーボードおよび／またはコンピュータマウス用の接続部を設けることも可能である。カバーリングフラップ１０は、マルチメディア装置１を人間工学的に改良するために、スライディングカバーとして、または、上下に折畳み可能なカバーとして実施することも可能である。
【００４７】
マルチメディア装置１の多くの標準機能を実施するために、ここで明確に説明されてはいないが、遠隔操作を利用することも可能である。このために、マルチメディア装置１は、本実施の形態においてはハウジングの正面に、遠隔操作部からの制御情報を受信する受信手段９を有してもよい。制御情報は、適切に設けられた受信手段９の場合、たとえば、赤外線またはブルートゥースなどによって、電波によって、たとえば、４２２ＭＨｚまたは８４４ＭＨｚの伝送周波数で、遠隔操作部からマルチメディア装置１の受信手段９まで伝送され、制御情報に対応して変換される。代わりに、または遠隔操作の追加として、ユーザが入力を行うことができる、コンピュータキーボード、および好ましくはコンピュータマウスまたはコンピュータマウスが一体化されたコンピュータキーボードを、特に受信手段９を用いてコードレスによって、またはケーブル接続によって、マルチメディア装置１に接続してもよい。
【００４８】
マルチメディア装置１は、好ましくは、ワイヤレスのＷＬＡＮ接続（ワイヤレスローカルエリアネットワーク）用の第１の送受信手段を有し、これは、外部のＷＬＡＮ可能装置とのワイヤレスのＷＬＡＮ接続のために設けられる。無線伝送は、公知の伝送規格（たとえば、ＩＥＥＥ８０１．１１ｂ規格またはＩＥＥＥ８０１．１１ｇ規格）に基く。
【００４９】
マルチメディア装置１は、さらにまた、ブルートゥース通信手段を有し、該通信手段によって、同様にブルートゥース通信規格が実行されている外部装置との通信が可能とされる。
【００５０】
マルチメディア装置１は、たとえばハウジング背面に、ケーブル接続されるネットワーク（ＬＡＮ：ローカルエリアネットワーク）用の少なくとも１つのネットワーク接続部と、アナログモデム接続部と、マイクロホン接続部と、ＨＤＴＶ受信機またはＨＤＴＶプレーヤ用デジタルＨＤＭＩ入力端子と、ＨＤＴＶに対応した表示装置用デジタルＨＤＭＩ出力部と、オーディオ出力部と、光学および／または同軸デジタル入力端子と、光学および／または同軸デジタル出力端子と、たとえば従来のコンピュータモニタの接続用に構成されたＶＧＡ接続部と、従来のデジタル入力部を備えたデジタルＬＣＤディスプレイの接続用に構成されたデジタルＤＶＩ出力部と、シリアルＲＳ−２３２接続部と、ＳＣＡＲＴ入力部と、ＳＣＡＲＴ出力部と、ビデオおよび／またはＳ−ビデオ出力部と、少なくとも１つのＵＳＢ接続部と、少なくとも１つのＦｉｒｅ−Ｗｉｒｅ接続部とを有してもよい。ＳＣＡＲＴ接続部の代わりに、ＲＣＡプラグ接続も利用できる。さらにまた、ＰＣＭＣＩＡ差込口をマルチメディア装置のハウジング背面に設けてもよく、該差込口は特に、アナログおよび／またはデジタルテレビ／ラジオ受信モジュール用に設けられる。マルチメディア装置１はまた、ＲＧＢコンポーネント入力部およびＲＧＢコンポーネント出力部を有してもよい。ＲＧＢコンポーネント入力部には、たとえばテレビ装置またはプロジェクタを接続することができる。ＲＧＢ信号、Ｓ−ビデオ信号またはビデオ信号の入出力には、欧州では、Ｓｃａｒｔプラグが利用される。欧州以外においては、実質的にＲＣＡプラグが利用される。成分信号は、欧州およびその他において、ＲＣＡプラグを介して入力される。
【００５１】
図２において、マルチメディア装置１の第２の実施の形態の正面図を示す。第１の実施の形態とは、図２に示された変形例は、タッチセンサ式入力および表示手段３’はマルチメディア装置１のハウジングの正面に脱着可能に設けられているところが相異する。タッチセンサ式入力および表示手段３’は、別個のハウジング１２を有し、本実施の形態においては、これは２つの把持要素と４つのプログラム可能なキー要素８とを有する。また、４以上のプログラム可能なキー要素８を設けてもよい。プログラム可能なキー要素８の数は、特に、タッチセンサ式入力および出力手段３の大きさに依存する。ここでは明確に示されていないが、ストッパ手段を用いて、取外し可能なタッチセンサ式入力および表示手段３’のハウジングを脱着可能にマルチメディア装置１に設けることができる。ストッパ手段はたとえば、把持要素１３を押圧することによって、またはその他の方法で解除することができ、それによって、タッチセンサ式入力および表示手段３’をマルチメディア装置１から取り外すことができる。
【００５２】
機能に関しては、取外し可能なタッチセンサ式入力および表示手段３’は、すでに上記にて、第１の実施の形態を用いて詳細に説明した、固定して設けられるタッチセンサ式入力および表示手段３に対応している。さらに、ここで明確に示されていないが、取外し可能なタッチセンサ式入力および表示手段３’のハウジング１２内に、本実施の形態におけるバーの収納部を設けてもよい。
【００５３】
取外し可能なタッチセンサ式入力および表示手段３’は、好ましくは、電圧供給のために、取外し可能なタッチセンサ式入力および表示手段３’が、マルチメディア装置１に取り付けられたとき、特に再度充電可能な充電式電圧源を有する。
【００５４】
さらにまた、取外し可能なタッチセンサ式入力および表示手段３’は、第１の送受信手段を有し、該送受信手段には、ワイヤレスネットワーク接続（ＷＬＡＮ接続）のために、マルチメディア装置１が備えられる。取外し可能なタッチセンサ式入力および表示手段３’をマルチメディア装置１から取り外されたときには、マルチメディア装置１と取外し可能なタッチセンサ式入力および表示手段３’との間は、ＷＬＡＮ接続が可能である。マルチメディア装置１は、本実施の形態においては、第２の送受信手段を有し、該第２の送受信手段は、ＷＬＡＮ伝送規格に従ったワイヤレスネットワーク接続のために設けられている。したがって、マルチメディア装置１と取外し可能なタッチセンサ式入力および表示手段３’との間で、いわゆるアドホックＷＬＡＮ接続（１：１接続）を構築することができる。ＷＬＡＮ接続による、膨大なマルチメディアデータ（たとえば、ビデオデータ）の伝送は、利用可能な比較的高い帯域幅に基いて可能である。
【００５５】
また、代わりに、マルチメディア装置１と取外し可能なタッチセンサ式入力および表示手段３’との間の通信は、ブルートゥース接続によっても行うことが可能である。しかしながら、比較的小さい帯域幅であることから、ワイヤレスブルートゥース接続は、膨大なマルチメディアデータの伝送のためには適さない。
【００５６】
第２の実施の形態の利点は、特に、マルチメディア装置１の遠隔操作が、取外し可能なタッチセンサ式入力および表示手段３’を用いて可能である点にあり、タッチセンサ式入力および表示手段３’上に、マルチメディア装置１の操作面を表示することができる。さらにまた、マルチメディアデータを、ワイヤレスネットワーク接続によって、好ましくは、ＷＬＡＮ接続によって、マルチメディア装置１から取外し可能なタッチセンサ式入力および表示手段３’に、および場合によっては、その逆に伝送することが可能であり、したがって、取外し可能なタッチセンサ式入力および表示手段３’は、たとえば、マルチメディア装置１から比較的遠く離れたところにおいても、たとえば隣室においても、マルチメディアデータおよび操作面などの表示のために利用することができる。
【００５７】
オーディオデータ再生のために、取外し可能なタッチセンサ式入力および表示手段３’は、少なくとも１つのスピーカおよび／またはヘッドフォン接続部を有することが可能である。
【００５８】
第２の実施の形態に従ったマルチメディア装置１のその他の構成要素および接続部は、第１の実施の形態のものに対応する。したがって、それらについてはここでもう一度説明することは省略する。
【００５９】
上述の両実施の形態において明らかにされたマルチメディア装置１は、好ましくは、特に、以下に述べる利用分野に適するように構成される。
・ＣＤプレイヤおよびＣＤレコーダ
・ＤＶＤプレイヤおよびＤＶＤレコーダ
・ハードディスク再生装置およびレコーダ
・ＭＰ３，ＷＭＡ，ＷＡＶフォーマット、ＭＰＥＧ１，ＭＰＥＧ２，ＭＰＥＧ３，ＭＰＥＧ４，ＤｉｖＸ，ＶＣＤおよびＸｖｉｄフォーマット、および／または他の圧縮フォーマットのデータの再生および記録
・画像および写真の表示
・アンテナ、ケーブル、または衛星によるアナログおよび／またはデジタルのラジオおよび／またはテレビ番組の受信および表示
・電子番組情報の受信
・受信機能を有するインターネットによる画像、フィルム、無線受信
・ニュース、天気予報などの受信
・ｅメール、ＭＭＳ、ＳＭＳ受信
・インターネットアクセス
・ＩＰ電話
【図面の簡単な説明】
【００６０】
【図１】本発明の第１の実施の形態に従うマルチメディア装置の正面図である。
【図２】本発明の第２の実施の形態に従うマルチメディア装置の正面図である。
【符号の説明】
【００６１】
１  マルチメディア装置
２  光学ディスクドライブ
３，３’  タッチセンサ式入力および表示手段
４  バー収納部
５  クイック操作キー
６  機能キー
７  ナビゲーションキー
８  キー要素
９  受信手段
１０  カバーリングフラップ
１２  ハウジング
１３  把持要素
【図１】
2006228416.tif 000003
【図２】
2006228416.tif 000004